(57)【特許請求の範囲】
【請求項１】
貫通孔に導体（１）が貫通された鉄心（１１）を備えた変流器部を具備するブッシング変流器（１０）であって、試験用リードを挿入して前記鉄心の貫通孔を通したのちに引き出すための試験用リード貫通孔（１６）が前記変流器部に形成されていることを特徴とする、ブッシング変流器。
【請求項２】
前記変流器部が、前記鉄心と、前記導体が貫通されたブッシング（１２）とを備え、
前記試験用リード貫通孔が前記ブッシングに形成されている、
ことを特徴とする、請求項１記載のブッシング変流器。
【請求項３】
前記試験用リードを前記試験用リード貫通孔に挿入するための挿入口（１４）および該試験用リードを該試験用リード貫通孔から排出するための排出口（１５）が、前記鉄心および前記ブッシングを収容するカバー（１３）の一面の前記鉄心よりも上側および下側にそれぞれ設けられていることを特徴とする、請求項１または２記載のブッシング変流器。
【請求項４】
前記試験用リードが前記試験用リード貫通孔に複数回通されることを特徴とする、請求項１乃至３いずれかに記載のブッシング変流器。
【請求項５】
前記試験用リードが前記試験用リード貫通孔に変流器一次試験時以外にも通されていることを特徴とする、請求項１乃至４いずれかに記載のブッシング変流器。
【請求項６】
前記変流器部が複数個の鉄心（１１1，１１2）を備え、
前記試験用リード貫通孔（１６’）が前記複数個の鉄心の貫通孔を通るように形成されている、
ことを特徴とする、請求項１乃至５いずれかに記載のブッシング変流器。
【発明の詳細な説明】
【技術分野】
【０００１】
本発明は、ブッシング変流器に関し、特に、変流器一次試験を行うのに好適なブッシング変流器に関する。
【背景技術】
【０００２】
従来、送電線路などの保護および計測用に設置されている変流器（ＣＴ）の試験を実施する際には、試験対象回線を停電し、変流器の両端に試験用リードを取り付けたのち、電流発生器から変流器の一次側に試験用一次電流を印加し、変流器の二次側から出力される変流器二次電流の電流値および位相などを測定している（たとえば下記の特許文献１参照）。このような試験は、一般的に、変流器一次試験（以下、「ＣＴ一次試験」と称する。）と呼ばれている。
【０００３】
たとえば、図４に示す試験対象回線（３相）の赤相、白相および青相にそれぞれ設置されている赤相、白相および青相ブッシング変流器５０R，５０W，５０BについてＣＴ一次試験を行う際には、試験対象回線を停電し、赤相ブッシング変流器５０Rの碍子部の上側に取り付けられた導体接続部に設けられたフック５１Rに作業員がアース棒（長さ３〜４ｍ）の先端に取り付けられたアースフックを接続する。続いて、電流発生器からアース棒を介して赤相ブッシング変流器５０Rの赤相導体１R（一次側）に試験用一次電流を流して、赤相ブッシング変流器５０Rの碍子部の下側に取り付けられた変流器部５２Rに収容された鉄心の二次端子から出力される赤相変流器二次電流Ｉ2Rを計測器に取り込んで、赤相変流器二次電流Ｉ2Rの電流値および位相などを測定する。
その後、白相ブッシング変流器５０WについてＣＴ一次試験を同様にして行ったのち、青相ブッシング変流器５０BについてＣＴ一次試験を同様にして行う。
【特許文献１】特開２００７−３７３０９号公報
【発明の開示】
【発明が解決しようとする課題】
【０００４】
しかしながら、ＣＴ一次試験を実施する際には、以下に示すような問題があった。
（１）長さ３〜４ｍのアース棒のアースフックを赤相、白相および青相ブッシング変流器５０R，５０W，５０Bのフック５１R，５１W，５１Bに作業員が接続しているため、隣接する充電部（試験対象回線以外の送電線路）にアース棒が接近した場合には作業員が感電するおそれがあったり、アースリードを通じて誘導により作業員が感電するおそれがあったりする。
（２）作業員がアース棒のアースフックを赤相、白相および青相ブッシング変流器５０R，５０W，５０Bのフック５１R，５１W，５１Bに接続する際にフック５１R，５１W，５１Bが外れて落下して赤相、白相および青相ブッシング変流器５０R，５０W，５０Bの碍子を傷つけてしまうと、碍子を修理しなければならなくなる。
（３）赤相、白相および青相ブッシング変流器５０R，５０W，５０Bのフック５１R，５１W，５１Bは高所にあるために作業員がアース棒のアースフックを赤相、白相および青相ブッシング変流器５０R，５０W，５０Bのフック５１R，５１W，５１Bに接続するのに時間を要し、また、長さ２〜３ｍのアース棒を運搬する際には周囲の充電機器に十分に注意を払って接近しないように運搬する必要があるなど、ＣＴ一次試験に要する時間および手間がかかる。
（４）貫通リードを赤相、白相および青相ブッシング変流器５０R，５０W，５０Bの碍子部に通しておくことも考えられるが、碍子部は陶器製であるため、貫通リードが通せるような特殊形状に碍子部をしようとすると、絶縁耐力が低下するとともに製造コストがかかる。また、貫通リードを赤相、白相および青相ブッシング変流器５０R，５０W，５０Bの碍子部に通したとしても、碍子部の上部から貫通リードが垂れ下がることによって絶縁低下することは間違いない。
【０００５】
本発明の目的は、作業員の安全性とＣＴ一次試験の作業性の向上が図れるブッシング変流器を提供することにある。
【課題を解決するための手段】
【０００６】
本発明のブッシング変流器は、貫通孔に導体（１）が貫通された鉄心（１１）を備えた変流器部を具備するブッシング変流器（１０）であって、試験用リードを挿入して前記鉄心の貫通孔を通したのちに引き出すための試験用リード貫通孔（１６）が前記変流器部に形成されていることを特徴とする。
ここで、前記変流器部が、前記鉄心と、前記導体が貫通されたブッシング（１２）とを備え、前記試験用リード貫通孔が前記ブッシングに形成されていてもよい。
前記試験用リードを前記試験用リード貫通孔に挿入するための挿入口（１４）および該試験用リードを該試験用リード貫通孔から排出するための排出口（１５）が、前記鉄心および前記ブッシングを収容するカバー（１３）の一面の前記鉄心よりも上側および下側にそれぞれ設けられていてもよい。
前記試験用リードが前記試験用リード貫通孔に複数回通されてもよい。
前記試験用リードが前記試験用リード貫通孔に変流器一次試験時以外にも通されていてもよい。
前記変流器部が複数個の鉄心（１１1，１１2）を備え、前記試験用リード貫通孔（１６’）が前記複数個の鉄心の貫通孔を通るように形成されていてもよい。
【発明の効果】
【０００７】
本発明のブッシング変流器は、以下に示す効果を奏する。
（１）試験用リードを外部から挿入して鉄心の貫通孔を通したのちに外部に出すための試験用リード貫通孔をブッシング変流器の変流器部に形成することにより、ブッシング変流器のＣＴ一次試験を実施する際には作業員は試験用リード貫通孔に試験用リードを挿入するだけでよいため、アース棒を用いることによる感電のおそれをなくすことができるので、作業員の安全性を向上させることができる。
（２）ブッシング変流器の変流器部は碍子部の下側（低所）にあるため、作業員は試験用リード貫通孔に試験用リードを簡単に挿入することができるので、ＣＴ一次試験の作業性を向上させることができる。
【発明を実施するための最良の形態】
【０００８】
上記の目的を、試験用リードを外部から挿入して鉄心の貫通孔を通したのちに外部に出すための試験用リード貫通孔をブッシング変流器の変流器部に形成することにより実現した。
【実施例１】
【０００９】
以下、本発明のブッシング変流器の実施例について図面を参照して説明する。
本発明の一実施例によるブッシング変流器１０は、図１（ｂ）に示すように、試験用リードを外部から挿入して鉄心１１の貫通孔を通したのちに外部に出すための試験用リード貫通孔１６がブッシング変流器１０の変流器部に形成されている点で、従来のブッシング変流器（図４に示した赤相、白相および青相ブッシング変流器５０R，５０W，５０B）と異なる。
【００１０】
ブッシング変流器１０の変流器部は、鉄製のカバー１３と、鉄製のカバー１３内に収容された鉄心１１およびブッシング１２とを備える。試験用リード貫通孔１６はブッシング１２に形成されており、試験用リードを試験用リード貫通孔１６に外部から挿入するための挿入口１４および試験用リードを試験用リード貫通孔１６から外部に排出するための排出口１５は、図１（ａ）に示すように、カバー１３の一側面の鉄心１１よりも上側および下側にそれぞれ設けられている。
なお、変流器二次電流Ｉ2は、鉄心１１の二次端子から外部に出力される。
【００１１】
次に、図１に示したブッシング変流器１０と同じ構成を有する赤相、白相および青相ブッシング変流器１０R，１０W，１０Bが送電線路の赤相、白相および青相にそれぞれ設置されている場合に、赤相、白相および青相ブッシング変流器１０R，１０W，１０BのＣＴ一次試験を実施する方法について、図２を参照して説明する。
【００１２】
屋内配電盤室において、リレー盤３１に計測器３２が接続されるとともに、計測器３２が電流発生器３３に接続される。
電流発生器３３の赤相、白相および青相試験電流出力端子が、屋内配電盤室に備えられた屋内配電盤室端子台３４の第１乃至第３の入力側端子３４I1〜３４I3と３本の接続線を介してそれぞれ接続され、また、屋内配電盤室端子台３４の第１乃至第３の入力側端子３４I1〜３４I3が、屋内配電盤室端子台３４の第１乃至第３の出力側端子３４O1〜３４O3と３本のジャンパ線を介してそれぞれ接続される。
屋内配電盤室端子台３４の第１乃至第３の出力側端子３４O1〜３４O3が、屋外開閉所に備えられた屋外開閉所端子台３５の第１乃至第３の入力側端子３５I1〜３５I3と３本の接続線を介してそれぞれ接続される。
【００１３】
屋外開閉所端子台３５の第１乃至第３の入力側端子３５I1〜３５I3が、屋外開閉所端子台３５の第１乃至第３の出力端子３５O1〜３５O3と３本のジャンパ線を介してそれぞれ接続される。屋外開閉所端子台３５の第５乃至第８の入力側端子３５I5〜３５I8が、４本のジャンパ線を介して接続されるとともに、第５乃至第８の出力側端子３５O5〜３５O8と４本のジャンパ線を介してそれぞれ接続される。屋外開閉所端子台３５の第８の出力側端子３５O8が、接地線を介して接地される。
【００１４】
作業員は、屋外開閉所端子台３５の第１の出力側端子３５O1に赤相試験用リード２１Rの一端を接続する。続いて、作業員は、赤相試験用リード２１Rの他端を赤相ブッシング変流器１０Rの挿入口１４R（図１参照）から試験用リード貫通孔１６R（図１参照）に挿入したのち、赤相試験用リード２１Rを押し込んでいく。赤相試験用リード２１Rの他端が赤相ブッシング変流器１０Rの排出口１５R（図１参照）から出てくると、作業員は、赤相試験用リード２１Rの他端を屋外開閉所端子台３５の第５の出力側端子３５O5に接続する。
その後、作業員は、屋外開閉所端子台３５の第２の出力側端子３２O2に白相試験用リード２１Wの一端を接続する。続いて、作業員は、白相試験用リード２１Wの他端を白相ブッシング変流器１０Wの挿入口１４W（図１参照）から試験用リード貫通孔１６W（図１参照）に挿入したのち、白相試験用リード２１Wを押し込んでいく。白相試験用リード２１Wの他端が白相ブッシング変流器１０Wの排出口１５W（図１参照）から出てくると、作業員は、白相試験用リード２１Wの他端を屋外開閉所端子台３５の第６の出力側端子３５O6に接続する。
その後、作業員は、屋外開閉所端子台３５の第３の出力側端子３５O3に青相試験用リード２１Bの一端を接続する。続いて、作業員は、青相試験用リード２１Bの他端を青相ブッシング変流器１０Bの挿入口１４B（図１参照）から試験用リード貫通孔１６B（図１参照）に挿入したのち、青相試験用リード２１Bを押し込んでいく。青相試験用リード２１Bの他端が青相ブッシング変流器１０Bの排出口１５B（図１参照）から出てくると、作業員は、青相試験用リード２１Bの他端を屋外開閉所端子台３５の第７の出力側端子３５O7に接続する。
【００１５】
赤相、白相および青相ブッシング変流器１０R，１０W，１０Bからそれぞれ出力される赤相、白相および青相変流器二次電流Ｉ2R，Ｉ2W，Ｉ2Bはリレー盤３１に入力される。
【００１６】
赤相、白相および青相ブッシング変流器１０R，１０W，１０Bが設置された試験対象回線を停電したのち、赤相試験用一次電流を出力するように制御する制御信号が計測器３２から電流発生器３３に出力される。赤相試験用一次電流は、屋内配電盤室端子台３４の第１の入力側端子３４I1→屋内配電盤室端子台３４の第１の出力側端子３４O1→屋外開閉所端子台３５の第１の入力側端子３５I1→屋外開閉所端子台３５の第１の出力側端子３５O1→赤相試験用リード２１R→屋外開閉所端子台３５の第５の出力側端子３５O5→屋外開閉所端子台３５の第５乃至第８の入力側端子３５I5〜３５I8→屋外開閉所端子台３５の第８の出力側端子３５O8→接地点という経路で流れる。これにより、赤相変流器二次電流Ｉ2Rが赤相ブッシング変流器１０Rから出力される。赤相変流器二次電流Ｉ2Rがリレー盤３１を介して計測器３２に入力されて、赤相変流器二次電流Ｉ2Rの電流値および位相などが測定される。
【００１７】
続いて、白相試験用一次電流を出力するように制御する制御信号が計測器３２から電流発生器３３に出力される。白相試験用一次電流は、屋内配電盤室端子台３４の第２の入力側端子３４I2→屋内配電盤室端子台３４の第２の出力側端子３４O2→屋外開閉所端子台３５の第２の入力側端子３５I2→屋外開閉所端子台３５の第２の出力側端子３５O2→白相試験用リード２１W→屋外開閉所端子台３５の第６の出力側端子３５O6→屋外開閉所端子台３５の第６乃至第８の入力側端子３５I6〜３５I8→屋外開閉所端子台３５の第８の出力側端子３５O8→接地点という経路で流れる。これにより、白相変流器二次電流Ｉ2Wが白相ブッシング変流器１０Wから出力される。白相変流器二次電流Ｉ2Wがリレー盤３１を介して計測器３２に入力されて、白相変流器二次電流Ｉ2Wの電流値および位相などが測定される。
【００１８】
続いて、青相試験用一次電流を出力するように制御する制御信号が計測器３２から電流発生器３３に出力される。青相試験用一次電流は、屋内配電盤室端子台３４の第３の入力側端子３４I3→屋内配電盤室端子台３４の第３の出力側端子３４O3→屋外開閉所端子台３５の第３の入力側端子３５I3→屋外開閉所端子台３５の第３の出力側端子３５O3→青相試験用リード２１B→屋外開閉所端子台３５の第７の出力側端子３５O7→屋外開閉所端子台３５の第７および第８の入力側端子３５I7，３５I8→屋外開閉所端子台３５の第８の出力側端子３５O8→接地点という経路で流れる。これにより、青相変流器二次電流Ｉ2Bが青相ブッシング変流器１０Bから出力される。青相変流器二次電流Ｉ2Bがリレー盤３１を介して計測器３２に入力されて、青相変流器二次電流Ｉ2Bの電流値および位相などが測定される。
【００１９】
このように、赤相、白相および青相ブッシング変流器１０R，１０W，１０Bの試験用リード貫通孔１６R，１６W，１６Bに赤相、白相および青相試験用リード２１R，２１W，２１Bをそれぞれ挿入するだけで、赤相、白相および青相ブッシング変流器１０R，１０W，１０BのＣＴ一次試験を行うことができる。
【００２０】
また、赤相、白相および青相ブッシング変流器１０R，１０W，１０Bの試験用リード貫通孔１６R，１６W，１６Bに赤相、白相および青相試験用リード２１R，２１W，２１Bを複数回それぞれ通すことにより、大電流試験を行う際の赤相、白相および青相試験用一次電流の電流値を小さくすることができる。たとえば、赤相、白相および青相ブッシング変流器１０R，１０W，１０Bの試験用リード貫通孔１６R，１６W，１６Bに赤相、白相および青相試験用リード２１R，２１W，２１Bを５回ずつそれぞれ通すことにより、２０Ａ定格試験器を用いて１００Ａの赤相、白相および青相試験用一次電流を印加した場合のＣＴ一次試験を行うことができる。
【００２１】
さらに、図３に示すように、第１および第２の鉄心１１1，１１2が変流器部に収容されているブッシング変流器１０’の場合には、試験用リードが第１および第２の鉄心１１1，１１2の貫通孔を通るように試験用リード貫通孔１６’をブッシング変流器１０’の変流器部に形成することにより、試験用リードに試験用一次電流を流すことによって第１および第２の鉄心１１1，１１2の二次端子からそれぞれ出力される第１および第２の二次電流Ｉ21，Ｉ22を用いてＣＴ一次試験を同時に行うことができる。
３個以上の鉄心が変流器部に収容されているブッシング変流器についても同様である。
【００２２】
なお、上述したようにＣＴ一次試験のたびに赤相、白相および青相試験用リード２１R，２１W，２１Bを赤相、白相および青相ブッシング変流器１０R，１０W，１０Bの試験用リード貫通孔１６R，１５W，１５Bにそれぞれ通してもよいが、ＣＴ一次試験時以外でも赤相、白相および青相試験用リード２１R，２１W，２１Bを赤相、白相および青相ブッシング変流器１０R，１０W，１０Bの試験用リード貫通孔１６R，１５W，１５Bにそれぞれ通しておいてもよい。
【図面の簡単な説明】
【００２３】
【図１】本発明の一実施例によるブッシング変流器１０の構成を示す図であり、（ａ）はブッシング変流器１０の正面図であり、（ｂ）はブッシング変流器１０の変流器部を断面で示した側面図である。
【図２】図１に示したブッシング変流器１０と同じ構成を有する赤相、白相および青相ブッシング変流器１０R，１０W，１０BのＣＴ一次試験を実施する方法について説明するための図である。
【図３】複数個の鉄心が変流器部に収容されているブッシング変流器に本発明のブッシング変流器を適用した場合の効果について説明するための図である。
【図４】従来のブッシング変流器のＣＴ一次試験の方法を説明するための図である。
【符号の説明】
【００２４】
１R，１W，１B  赤相、白相および青相導体
１０，１０’  ブッシング変流器
１０R，１０W，１０B，５０R，５０W，５０B  赤相、白相および青相ブッシング変流器
１１  鉄心
１１1，１１2  第１および第２の鉄心
１２  ブッシング
１３  カバー
１４，１４R，１４W，１４B  挿入口
１５，１５R，１５W，１５B  排出口
１６，１６R，１６W，１６B，１６’  試験用リード貫通孔
２１R，２１W，２１B  赤相、白相および青相試験用リード
３１  リレー盤
３２  計測器
３３  電流発生器
３４  屋内配電盤室端子台
３４I1〜３４I4  第１乃至第４の入力側端子
３４O1〜３４O4  第１乃至第４の出力側端子
３５  屋外開閉所端子台
３５I1〜３５I8  第１乃至第８の入力側端子
３５O1〜３５O8  第１乃至第８の出力側端子
５１R，５１W，５１B  フック
５２R，５２W，５２B  変流器部
Ｉ2  変流器二次電流
Ｉ2R，Ｉ2W，Ｉ2B  赤相、白相および青相変流器二次電流
Ｉ21，Ｉ22  第１および第２の変流器二次電流
【図１】
0004954121.tif 000002
【図２】
0004954121.tif 000003
【図３】
0004954121.tif 000004
【図４】
0004954121.tif 000005